(57)【要約】      （修正有）【課題】手の届かない体の痛み・痒み部分に消炎・液状緩和剤を自在に塗布出来る塗付装置を提供する。【解決手段】４０センチメートルの長さの握り棒１に消炎・液状緩和剤を固定する装着板２の外周２ヶ所の一方に面ファスナー付きベルト４を装着板２に固定し、他の一方にも面ファスナー付きベルト４を通し締め付けるための長方形状の金具付きのベルト３を固定する構造とする。装着板２に消炎・液状緩和剤を装着し面ファスナー付きベルト４をもう一方の長方形状の金具付きベルト３に通し締め付けることで固定され自在に塗布出来る。【選択図】図１
0003216008.tif 000002
【実用新案登録請求の範囲】
【請求項１】
４０センチメ‐トルの長さの握り棒１の片方の一端に弧（固定可能な形状を含む）状の装着板２を垂直に取り付ける。握り棒１の片方の先端に取り付けた装着板面２の外周２ヶ所の一方に面ファスナー付きベルト４を固定し、他の一方に面ファスナー付きベルト４を通し消炎・液状緩和剤５（これに類する薬剤等を含む）を締め付けるための長方形状の金具付きベルト３を固定したことを特徴とする塗布装置。
【考案の詳細な説明】
【技術分野】
【０００１】本考案は、手の届かない体の痛み・痒み等の諸症状に消炎・液状緩和剤５（これに類する薬剤等を含む）を人の手助けなしで容易簡単に塗布する装置に関する。
【技術背景】
【０００２】手の届かない体の痛み・痒み等の諸症状部への消炎・液状緩和剤５の塗布は、人の手助けでなされることが至極当たり前とされている。
【０００３】この対策として、塗布する消炎・液状緩和剤５を手の届かない体の痛み・痒み等の諸症状部に届くようにすることが考えられる。
【先行技術文献】
【特許文献】
【０００４】この装置に関する文献例なし。
【考案の概要】
【本考案が解決しようとする課題】
【０００５】手の届かない体の痛み・痒み等の諸症状部に消炎・液状緩和剤５の塗布は、人の手助を要するとする観念を払拭することである
【課題を解決するための手段】
【０００６】課題を解決するための消炎・液状緩和剤５を人手を借りずに塗布する装置の構成は、４０センチメートルの握り棒１の片方の一端に消炎・液状緩和剤５（これに類する薬剤を含む）を固定するための弧状（固定可能な形状を含む）の装着板２を垂直に取り付ける。消炎・液状緩和剤５を装着するための装着板２には、一方の端に面ファスナー付きベルト４を固定、他方に面ファスナー付きベルト４を通し引き締めるための長方形状の金具付きベルト３を固定する。消炎・液状緩和剤５の塗布の方法は、消炎・液状緩和剤５を装着板２に沿わて面ファスナ付きベルトを一方の長方形状の金具付きベルトに通し引き締めて固定することで手軽に塗布できる。人の手助を要しないことを特徴とする。
【考案の効果】
【０００７】  本考案により、自在に痛み・痒み等の諸症状に消炎・液状緩和剤５（これに類する薬剤等を含む）を人の手助なしで塗布が可能で使い勝手の良い装置である。
【図面の簡単な説明】
【０００８】
【図１】図１は、本考案を実施するための平面図である。  縮尺は、実寸の１，２分の１である。
【図２】図２は、本考案を実施するための側面図である。  縮尺は、実寸の１，２分の１である。
【図３】図３は、本考案を実施するための立面図である、  縮尺は、実寸の１，２分の１である。
【図４】図４は、本考案を実施するための図１の１の平面図・側面図である。縮尺は、２分の１である。
【図５】図５は、本考案を実施するための図１の１の立面図である。縮尺は、実寸の２倍である。
【図６】図６は、本考案を実施するための図１の２の平面図である。縮尺は、実寸である。
【図７】図７は、本考案を実施するための図１の２の側面図である。縮尺は、実寸である。
【図８】図８は、本考案を実施するための図１の２の立面図である。縮尺は、実寸である。
【図９】図９は、本考案を実施するための図１の３の平面図である。縮尺は、実寸の２倍である。
【図１０】図１０は、本考案を実施するための図１の３の側面図である。縮尺は、実寸の２倍である。
【図１１】図１１は、本考案を実施するための図１の３の立面図である。縮尺は、実寸の２倍である。
【図１２】図１２は、本考案を実施するための図１の４の平面図である。縮尺は、実寸である。
【図１３】図１３は、本考案を実施するための図１の４の側面図である。縮尺は、実寸である。
【図１４】図１４は、本考案を実するためのの図１の４の立面図である。縮尺は、実寸の２倍である。
【図１５】図１５は、本考案を実施するための斜視図図である。
【図１６】図１６は、本考案を実施するための使用状態図である。
【考案を実施するための形態】
【０００９】図１に示す本考案の塗り付け装置は、手の届かない体の痛み・痒み等の諸症状部位に消炎・液状緩和剤５（これに類する薬剤等を含む）を塗布する装置で４０センチメ‐トの長さの握り棒１の片方の先端に装着板２を垂直に取り付ける。面ファスナー付きベルト４を装着板２の外周の両端の一方に固定し、他方にも面ファスナー付きベルト４を通し引き締め固定するための長方形状の金具付きベルト３を固定する構造とする。
【００１０】塗布装置は、金属製や硬質プラスチック製・木製等で形成した握り棒１と硬質プラスチック製・木製等で形成した装着板２に布製や合成樹脂製・ゴム製等で形成した面ファスナー付きベルト４と、これを通し締め付ける長方形状の金（硬質プラスチック製・木製等を含む）具付きベルト３で形成される。消炎・液状緩和剤５を装着板に装着し、面ファスナー付きベルト４を長方形状の金具付き部に通し締め付けることで固定される。
【実施例】
【００１１】図１５は、消炎・液状緩和剤５（これに類する薬剤等を含む）を装着し使用可能な状態にした斜視図である。【００１２】図１６は、塗布装置で消炎・液状緩和剤５（これに類する薬剤等を含む）を痛み・痒み等の部位に塗布している使用状態図である。
【符号の説明】
【０００１３】１        握り棒
２        取付板
３        長方形状の金具付きベルト
４        面ファスナー付きベルト
４−１    ベルト
４−２    面ファスナー
４−３    面ファスナー
５        消炎・液状緩和剤（これに類する薬剤等を含む）
【図１】
0003216008.tif 000003
【図２】
0003216008.tif 000004
【図３】
0003216008.tif 000005
【図４】
0003216008.tif 000006
【図５】
0003216008.tif 000007
【図６】
0003216008.tif 000008
【図７】
0003216008.tif 000009
【図８】
0003216008.tif 000010
【図９】
0003216008.tif 000011
【図１０】
0003216008.tif 000012
【図１１】
0003216008.tif 000013
【図１２】
0003216008.tif 000014
【図１３】
0003216008.tif 000015
【図１４】
0003216008.tif 000016
【図１５】
0003216008.tif 000017
【図１６】
0003216008.tif 000018
【手続補正書】
【提出日】平成30年2月2日(2018.2.2)
【手続補正１】
【補正対象書類名】実用新案登録請求の範囲
【補正対象項目名】全文
【補正方法】変更
【補正の内容】
【実用新案登録請求の範囲】
【請求項１】
４０センチメートルの長さの握り棒１の片方の一端に弧状の装着板２を垂直に取り付け、握り棒１の片方の先端に取り付けた装着板２の外周２ヶ所の一方に面ファスナー付きベルト４を固定し、他の一方に面ファスナー付きベルト４を通し、消炎・液状緩和剤５を締め付けるための長方形状の金具付きベルト３を固定したことを特徴とする塗布装置。